(57)【要約】  エレベータ乗場で行先階呼び登録可能な押し釦式乗場操作盤（４）を備えたエレベータシステムとその制御方法であって，特別な利用者を対象とする特殊運転を安価に実現するために，通常運転の行先階を入力するモードと，特殊運転実行のために暗証番号を入力するモードを切換える釦としてファンクション釦（５１）を乗場操作盤（４）に設け，行先階入力部（５０ａ）により暗証番号の入力を行い，入力された暗証番号に関連付けられた特殊運転を実行する。
2011024223.tif 000002
【特許請求の範囲】
【請求項１】
エレベータ号機と、
エレベータ乗場に設けられ、行先階入力手段を有する乗場操作盤と、
前記乗場操作盤にて入力された情報に基づいて前記エレベータ号機を制御する制御装置と、
を備えたエレベータシステムにおいて、
前記乗場操作盤に設けられた暗証番号入力手段と、
前記乗場操作盤に設けられ、前記行先階入力手段を無効にして前記暗証番号入力手段を有効に切り換える第１の入力切換手段と、
複数の暗証番号と前記各暗証番号に関連付けられた複数の特殊運転情報とからなる対応情報を記憶する記憶手段と、
前記行先階入力手段により入力された行先階情報に基づいて、前記エレベータ号機に対し通常運転を指令する通常運転指令手段と、
前記暗証番号入力手段により入力された暗証番号と前記記憶手段に記憶された対応情報とに基づいて、前記入力された暗証番号に関連付けられた特殊運転情報を特定する特殊運転情報特定手段と、
前記特殊運転情報特定手段により特定された特殊運転情報に基づいて、前記エレベータ号機に対し特殊運転を指令する特殊運転指令手段と、
を備えたことを特徴とするエレベータシステム。
【請求項２】
前記乗場操作盤に設けられ、前記特殊運転情報特定手段により特定された特殊運転情報に基づいて、号機情報または階情報を入力するための特殊運転対象入力手段とを備え、
前記特殊運転指令手段は、前記特殊運転情報特定手段により特定された特殊運転情報と前記特殊運転対象入力手段により入力された号機情報または階情報とに基づいて、前記エレベータ号機に対し特殊運転を指令する
ことを特徴とする請求項１記載のエレベータシステム。
【請求項３】
前記記憶手段および前記特殊運転情報特定手段は、前記乗場操作盤および前記制御装置にそれぞれ設けられた
ことを特徴とする請求項１記載のエレベータシステム。
【請求項４】
前記乗場操作盤に設けられ、変更前の暗証番号および新しい暗証番号を入力するための暗証番号変更入力手段と、
前記暗証番号変更入力手段により入力された変更前の暗証番号および新しい暗証番号に基づいて、前記記憶手段に記憶された対応情報にかかる暗証番号を変更する暗証番号変更手段と、
前記乗場操作盤に設けられ、前記行先階入力手段および前記暗証番号入力手段を無効にして前記変更前後暗証番号入力手段を有効に切り換える第２の入力切換手段と、
を備えたことを特徴とする請求項１〜３のいずれかに記載のエレベータシステム。
【請求項５】
エレベータ乗場に設けられた乗場操作盤にて入力される情報に基づいてエレベータ号機を制御するエレベータシステムの制御方法において、
複数の暗証番号と前記各暗証番号に関連付けられた複数の特殊運転情報とからなる対応情報を記憶する記憶ステップと、
前記乗場操作盤にて第１の入力切換信号が入力されたか否かを判断する第１切換判断ステップと、
前記第１切換判断ステップにて前記第１の入力切換信号が入力されていないと判断した場合、前記乗場操作盤にて行先階情報が入力されたか否かを判断する行先階判断ステップと、
前記行先階判断ステップにて行先階情報が入力されたと判断した場合、入力された行先階情報に基づいて、前記エレベータ号機に対し通常運転を指令する通常運転指令ステップと、
前記第１切換判断ステップにて前記入力切換信号が入力されたと判断した場合、前記乗場操作盤にて暗証番号が入力されたか否かを判断する暗証番号判断ステップと、
前記暗証番号判断ステップにて暗証番号が入力されたと判断した場合、入力された暗証番号と前記記憶ステップにて記憶した対応情報とに基づいて、前記入力された暗証番号に関連付けられた特殊運転情報を特定する特殊運転情報特定ステップと、
前記特殊運転情報特定ステップにて特定された特殊運転情報に基づいて、前記エレベータ号機に対し特殊運転を指令する特殊運転指令ステップと、
を備えたことを特徴とするエレベータシステムの制御方法。
【請求項６】
前記特殊運転情報特定ステップにより特定された特殊運転情報に基づいて、号機情報または階情報が入力されたか否かを判断する特殊運転対象判断ステップとを備え、
前記特殊運転指令ステップは、前記特殊運転対象判断ステップにて号機情報または階情報が入力されたと判断した場合、前記特殊運転対象判断ステップにて入力された号機情報または階情報と前記特殊運転情報特定ステップにより特定された特殊運転情報とに基づいて、前記エレベータ号機に対し特殊運転を指令する
ことを特徴とする請求項５記載のエレベータシステムの制御方法。
【請求項７】
前記乗場操作盤にて第２の入力切換信号が入力されたか否かを判断する第２切換判断ステップと、
第２切換判断ステップにて前記第２の入力切換信号が入力されたと判断した場合、前記乗場操作盤にて変更前の暗証番号および新しい暗証番号が入力されたか否かを判断する暗証番号変更判断ステップと、
前記暗証番号変更判断ステップにより入力された変更前の暗証番号および新しい暗証番号に基づいて、前記記憶手段に記憶された対応情報にかかる暗証番号を変更する暗証番号変更ステップとを備えた
ことを特徴とする請求項５記載のエレベータシステムの制御方法。
【発明の詳細な説明】
【技術分野】
【０００１】
本発明は、エレベータ乗場に乗場操作盤を設けたエレベータシステムとその制御方法に関するものである。
【背景技術】
【０００２】
従来のエレベータシステムとして、エレベータ乗場に押し釦やキースイッチなどのハードウェア接点を用いた乗場操作盤（以下、「押し釦式乗場操作盤」）を備えたものがある（たとえば、特許文献１）。かかる乗場操作盤は、階床名を表示した行先釦を備えており、入力者により行先釦が押されると、行先呼び登録を行うものである。【０００３】
また、従来のエレベータシステムとして、エレベータ乗場にタッチパネル式乗場操作盤を備えたものがある（たとえば、特許文献２）。特許文献２に開示された乗場操作盤のタッチパネルの基本画面は、階床名が表示された行先釦とメニュー釦とを備えている。そして、かかる乗場操作盤は、入力者により行先釦に触れられると、行先呼び登録を行い、また、入力者によりメニュー釦に触れられると、種々の特殊運転指令をすることができる画面に切り替えるものである。このように、タッチパネル式乗場操作盤は、押し釦式乗場操作盤に比べ、幅広い用途に対応できるという利点がある。
【先行技術文献】
【特許文献】
【０００４】
【特許文献１】特開昭63-218484号公報（たとえば、図１）
【特許文献２】特開2006-282308号公報（たとえば、図８）
【発明の概要】
【発明が解決しようとする課題】
【０００５】
しかしながら、従来のタッチパネル式乗場操作盤は高価であり、各エレベータ乗場に複数設置することはコスト面から困難であった。【０００６】
本発明は、かかる問題点を解決するためになされたものであり、安価で、かつ幅広い用途に対応できる乗場操作盤を備えたエレベータシステムとその制御方法を得ることを目的とする。
【課題を解決するための手段】
【０００７】
本発明にかかるエレベータシステムは、エレベータ号機と、エレベータ乗場に設けられ、行先階入力手段を有する乗場操作盤と、前記乗場操作盤にて入力された情報に基づいて前記エレベータ号機を制御する制御装置と、を備えたエレベータシステムにおいて、前記乗場操作盤に設けられた暗証番号入力手段と、前記乗場操作盤に設けられ、前記行先階入力手段を無効にして前記暗証番号入力手段を有効に切り換える第１の入力切換手段と、複数の暗証番号と前記各暗証番号に関連付けられた複数の特殊運転情報とからなる対応情報を記憶する記憶手段と、前記行先階入力手段により入力された行先階情報に基づいて、前記エレベータ号機に対し通常運転を指令する通常運転指令手段と、前記暗証番号入力手段により入力された暗証番号と前記記憶手段に記憶された対応情報とに基づいて、前記入力された暗証番号に関連付けられた特殊運転情報を特定する特殊運転情報特定手段と、前記特殊運転情報特定手段により特定された特殊運転情報に基づいて、前記エレベータ号機に対し特殊運転を指令する特殊運転指令手段と、を備えたことを特徴とする。【０００８】
つぎの発明にかかるエレベータシステムは、前記乗場操作盤に設けられ、前記特殊運転情報特定手段により特定された特殊運転情報に基づいて、号機情報または階情報を入力するための特殊運転対象入力手段とを備え、前記特殊運転指令手段は、前記特殊運転情報特定手段により特定された特殊運転情報と前記特殊運転対象入力手段により入力された号機情報または階情報とに基づいて、前記エレベータ号機に対し特殊運転を指令することを特徴とする。【０００９】
つぎの発明にかかるエレベータシステムは、前記記憶手段および前記特殊運転情報特定手段は、前記乗場操作盤および前記制御装置にそれぞれ設けられたことを特徴とする。【００１０】
つぎの発明にかかるエレベータシステムは、前記乗場操作盤に設けられ、変更前の暗証番号および新しい暗証番号を入力するための暗証番号変更入力手段と、前記暗証番号変更入力手段により入力された変更前の暗証番号および新しい暗証番号に基づいて、前記記憶手段に記憶された対応情報にかかる暗証番号を変更する暗証番号変更手段と、前記乗場操作盤に設けられ、前記行先階入力手段および前記暗証番号入力手段を無効にして前記変更前後暗証番号入力手段を有効に切り換える第２の入力切換手段と、を備えたことを特徴とする。【００１１】
本発明にかかるエレベータシステムの制御方法は、エレベータ乗場に設けられた乗場操作盤にて入力される情報に基づいてエレベータ号機を制御するエレベータシステムの制御方法において、複数の暗証番号と前記各暗証番号に関連付けられた複数の特殊運転情報とからなる対応情報を記憶する記憶ステップと、前記乗場操作盤にて第１の入力切換信号が入力されたか否かを判断する第１切換判断ステップと、前記第１切換判断ステップにて前記第１の入力切換信号が入力されていないと判断した場合、前記乗場操作盤にて行先階情報が入力されたか否かを判断する行先階判断ステップと、前記行先階判断ステップにて行先階情報が入力されたと判断した場合、入力された行先階情報に基づいて、前記エレベータ号機に対し通常運転を指令する通常運転指令ステップと、前記第１切換判断ステップにて前記入力切換信号が入力されたと判断した場合、前記乗場操作盤にて暗証番号が入力されたか否かを判断する暗証番号判断ステップと、前記暗証番号判断ステップにて暗証番号が入力されたと判断した場合、入力された暗証番号と前記記憶ステップにて記憶した対応情報とに基づいて、前記入力された暗証番号に関連付けられた特殊運転情報を特定する特殊運転情報特定ステップと、前記特殊運転情報特定ステップにて特定された特殊運転情報に基づいて、前記エレベータ号機に対し特殊運転を指令する特殊運転指令ステップと、を備えたことを特徴とする。【００１２】
つぎの発明にかかるエレベータシステムの制御方法は、前記特殊運転情報特定ステップにより特定された特殊運転情報に基づいて、号機情報または階情報が入力されたか否かを判断する特殊運転対象判断ステップとを備え、前記特殊運転指令ステップは、前記特殊運転対象判断ステップにて号機情報または階情報が入力されたと判断した場合、前記特殊運転対象判断ステップにて入力された号機情報または階情報と前記特殊運転情報特定ステップにより特定された特殊運転情報とに基づいて、前記エレベータ号機に対し特殊運転を指令することを特徴とする。【００１３】
つぎの発明にかかるエレベータシステムの制御方法は、前記乗場操作盤にて第２の入力切換信号が入力されたか否かを判断する第２切換判断ステップと、第２切換判断ステップにて前記第２の入力切換信号が入力されたと判断した場合、前記乗場操作盤にて変更前の暗証番号および新しい暗証番号が入力されたか否かを判断する暗証番号変更判断ステップと、前記暗証番号変更判断ステップにより入力された変更前の暗証番号および新しい暗証番号に基づいて、前記記憶手段に記憶された対応情報にかかる暗証番号を変更する暗証番号変更ステップとを備えたことを特徴とする。
【発明の効果】
【００１４】
本発明によれば、従来の押し釦式乗場操作盤に一つ釦を追加するだけで、種々の特殊運転指令をすることができる乗場操作盤を備えたエレベータシステムを得ることができる。これによって、安価で、かつ幅広い用途に対応できる乗場操作盤を備えたエレベータシステムを得ることができる。
【図面の簡単な説明】
【００１５】
【図１】本発明にかかるエレベータシステムを示す全体構成図である。
【図２】本発明にかかる乗場操作盤４の外観図である。
【図３】本発明にかかる乗場操作盤４および群管理制御装置１が行う通常運転処理のフローチャートである。
【図４】ファンクション釦５１が押された後に本発明にかかる乗場操作盤４が開始する特殊運転処理の一部を示すフローチャートである。
【図５】実施の形態１にかかる乗場操作盤４と群管理制御装置１が行うＶＩＰ運転処理を示すフローチャートである。
【図６】実施の形態１にかかる乗場操作盤４と群管理制御装置１が行う呼び戻し運転処理を示すフローチャートである。
【図７】実施の形態１にかかる乗場操作盤４と群管理制御装置１が行うサービス階カット運転処理を示すフローチャートである。
【図８】通常運転階入力画面１００である。
【図９】通常運転階表示画面１０１である。
【図１０】通常運転号機表示画面１０２である。
【図１１】暗証番号入力画面１０３である。
【図１２】エラー画面１０４である。
【図１３】ＶＩＰ運転階入力画面１０５である。
【図１４】ＶＩＰ運転階表示画面１０６である。
【図１５】ＶＩＰ運転号機表示画面１０７である。
【図１６】呼び戻し運転号機表示画面１０８である。
【図１７】サービス階カット運転階入力画面１０９である。
【図１８】サービス階カット運転階表示画面１１０である。
【図１９】実施の形態２にかかる暗証番号変更処理を示すフローチャートである。
【図２０】実施の形態２にかかる乗場操作盤４と群管理制御装置１が行うＶＩＰ運転処理を示すフローチャートである。
【図２１】実施の形態２にかかる乗場操作盤４と群管理制御装置１が行う呼び戻し運転処理を示すフローチャートである。
【図２２】実施の形態２にかかる乗場操作盤４と群管理制御装置１が行うサービス階カット運転処理を示すフローチャートである。
【図２３】変更前暗証番号入力画面１１１である。
【図２４】新暗証番号入力画面１１２である。
【符号の説明】
【００１６】
１  群管理制御装置
３  エレベータ号機
４  乗場操作盤
４５  入力部
５０  行先階入力部
５０a  テンキー
５１  ファンクション釦
【発明を実施するための形態】
【００１７】
実施の形態１．
図１〜図１８を参照して、本発明の実施の形態１を説明する。
【００１８】
まず、図１と図２を参照して、本発明にかかるエレベータシステムの構成を説明する。図１は、本発明にかかるエレベータシステムを示す全体構成図である。図２は、本発明にかかる乗場操作盤４の外観図である。ビル５内には、複数のエレベータ号機３、エレベータ乗場に設けられる一台または複数台の乗場操作盤４、および群管理制御装置１があり、これらはバス２に接続されている。ここで、「号機」とは、１台のかご単位のエレベータをいう。図１では、ビル５内に３a〜３jの１０台のエレベータ号機３があり、４a〜４cの３台の乗場操作盤４があることを示している。また、図１のようなエレベータシステムは、ビル５内に複数あってもよい。
【００１９】
つぎに、エレベータ号機３の構成を説明する。エレベータかご３３およびおもり３４は巻上機３２により昇降され、巻上機３２は駆動制御回路３１により駆動制御される。号機制御装置３０は、バス２に接続されており、群管理制御装置１からバス２を介して受ける制御指令に基づき、駆動制御回路３１を制御する。号機制御装置３０および駆動制御回路３１は、エレベータ号機３の制御盤（図示しない）に格納されている。
【００２０】
つぎに、群管理制御装置１の構成を説明する。群管理制御装置１は、たとえばビル管理人室の制御盤内に設けられ、乗場操作盤４a〜４cから受信する情報に基づいてエレベータ号機３a〜３jの群管理制御を行う。群管理制御装置１は、プログラムや各種情報を記憶するメモリ１１と、メモリ１１内に記憶されたプログラムを実行する中央処理装置であるＣＰＵ１０を有し、これらはバス１３に接続されている。また、このバス１３は、Ｉ／Ｆ１２を介してバス２に接続されている。
【００２１】
つぎに、乗場操作盤４の構成を説明する。乗場操作盤４は、全部または一部の階のエレベータ乗場に設けられる。また、乗場操作盤４は、一つの階に対して一台または複数台設けることができる。乗場操作盤４は、プログラムや各種情報を記憶するメモリ４１と、メモリ４１内に記憶されたプログラムを実行する中央処理装置であるＣＰＵ４０を有し、これらはバス４３に接続されている。なお、各乗場操作盤４a〜４cのメモリ４１には、各乗場操作盤４a〜４cの入力者のいる階（以下、「入力階」）、すなわち各乗場操作盤４a〜４cの設けられた階を特定する情報（以下、「入力階情報」）も記憶されている。また、このバス４３は、Ｉ／Ｆ４２を介してバス２に接続されている。
【００２２】
さらに、乗場操作盤４は、液晶画面などの表示部４４と複数の押し釦やキースイッチからなる入力部４５を有しており、これらはそれぞれＩ／Ｆ４６、Ｉ／Ｆ４７を介してバス４３に接続されている。図２に示すように、入力部４５は、一般乗客が行先階を入力するための行先階入力部５０と、ＶＩＰ等の特定の乗客、エレベータの保守員、清掃員などが暗証番号を入力する際に押すファンクション釦５１とを有する。行先階入力部５０は、テンキー５０aと身障者対応釦５０bとを有する。テンキー５０aは、それぞれ「０」〜「９」の数字が表示された計１０の数字釦と、出入口階などの特殊階を表す「＊」釦と、地下階を表す「−」釦（マイナス釦）とからなる。なお、この身障者対応釦５０bは設けなくてもよい。また、この他にも英字が表示された英字釦を設けてもよい。このファンクション釦５１は、従来の押し釦式乗場操作盤には無かったものである。
【００２３】
なお、群管理制御装置１のメモリ１１と乗場操作盤４のメモリ４１には、以下の表１に示すような対応情報が、予め出荷時に記憶されている。この対応情報は、複数の暗証番号と各暗証番号に対応する複数の特殊運転情報が関連付けられたものである。
【００２４】
【表１】
2011024223.tif 000003
【００２５】
表１の対応情報にかかる各暗証番号は、４桁の数字からなる。４桁の暗証番号は、一般的に馴染み深いという利点があるが、その他の桁数の暗証番号を用いてもよい。特殊運転とは、通常運転以外のエレベータ運転で種々の機能を持ったものをいい、たとえば表１に示すような、「ＶＩＰ運転」、「呼び戻し運転」、「サービス階カット運転」などがある。「ＶＩＰ運転」とは、かごを優先的に行先階へ運転させる特殊運転であり、ＶＩＰ等の特定の乗客が利用する。また、「呼び戻し運転」とは、予め規定された階までかごを呼ぶ特殊運転であり、エレベータの保守員や清掃員などが利用する。また、「サービス階カット運転」とは、指定された階にかごを停止させないよう、その階をサービスの対象から切放す特殊運転である。表１において、ＶＩＰ運転とサービス階カットについては、特殊運転情報が特殊運転の名称のみからなる。一方、呼び戻し運転については、特殊運転情報が特殊運転の名称並びにエレベータ号機の名称とからなる。なお、「１号機」〜「１０号機」とは、それぞれエレベータ号機３a〜３jの名称を表している。
【００２６】
次に、図３〜図１８を参照して、実施の形態１にかかるエレベータシステムの動作を説明する。なお、乗場操作盤４は、ファンクション釦５１が押されるまでは通常運転の処理を行うが、ファンクション釦５１が押されると特殊運転の処理を開始する。また、群管理制御装置１は、乗場操作盤４から暗証番号を受信するまでは通常運転の処理を行い、暗証番号を受信すると特殊運転の処理を開始する。
【００２７】
まず、図３、図８〜図１０を参照して、乗場操作盤４および群管理制御装置１が行う通常運転の処理を説明する。図３は本発明にかかる乗場操作盤４および群管理制御装置１が行う通常運転処理のフローチャートである。まず、乗場操作盤４のＣＰＵ４０は、表示部４４に図８に示す通常運転階入力画面１００を表示させ、行先階情報が入力されるのを待機している（Ｓ１００）。この通常運転階入力画面１００には、たとえば行先階情報の入力を促すメッセージが表示される。この行先階情報は、一般乗客が希望する行先階を特定する数字または英字などであり、行先階入力部５０の操作により入力される。
【００２８】
たとえば、行先階の入力者が３階へ行きたい場合は、テンキー５０aの「３」釦を押す。地下３階へ行きたい場合は、テンキー５０aの「−」釦を押し、つぎに「３」釦を押す。特殊階へ行きたい場合は、テンキー５０aの「＊」釦を押す。また、テンキー５０aを操作する前に、身障者対応釦５０bを押すと、テンキー５０aの操作を通常より時間をかけて行うことができる。
【００２９】
そして、行先階情報が入力されると（Ｓ１０１）、つぎにＣＰＵ４０は、表示部４４に図９に示す通常運転階表示画面１０１を表示させ、入力された行先階情報を表示する（Ｓ１０２）。また、ＣＰＵ４０は、群管理制御装置１にこの行先階情報を送信する（Ｓ１０３）。つぎに、群管理制御装置１のＣＰＵ１０は、乗場操作盤４からこの行先階情報を受信すると、その行先階へ通常運転させるエレベータ号機３を選択する（Ｓ１０４）。ここでＣＰＵ１０は、たとえば各エレベータ号機３a〜３jの運転状況を参照することにより、適当なエレベータ号機３を一台選択する。つぎに、ＣＰＵ１０は、選択したエレベータ号機３のエレベータ号機情報を乗場操作盤４へ送信する（Ｓ１０５）。このエレベータ号機情報は、エレベータ号機を特定する数字または英字などである。つぎに、乗場操作盤４のＣＰＵ４０は、このエレベータ号機情報を群管理制御装置１から受信すると、表示部４４に図１０に示す通常運転号機表示画面１０２を表示させる（Ｓ１０６）。この通常運転号機表示画面１０２には、このエレベータ号機情報が表示される。これによって、行先階の入力者は、どのエレベータ号機が通常運転により行先階まで運転するのかを把握することができる。その後ＣＰＵ４０は、Ｓ１００に戻り、表示部４４に図８の通常運転階入力画面１００を表示させる。
【００３０】
一方、群管理制御装置１のＣＰＵ１０は、Ｓ１０４で選択したエレベータ号機３の号機制御装置３０に対し、通常運転指令を送信する（Ｓ１０７）。そして、この通常運転指令を受信したエレベータ号機３の号機制御装置３０は、一旦かご３３を入力階まで運転させ、乗客が乗車した後、行先階までかご３３を運転させる。
【００３１】
つぎに、図４〜図７、図１１〜図１８を参照して、乗場操作盤４および群管理制御装置１が行う特殊運転の処理を説明する。乗場操作盤４は、表示部４４に図８の通常運転階入力画面１００を表示させている間にファンクション釦５１が押されると、特殊運転処理を開始する。図４は、ファンクション釦５１が押された後に本発明にかかる乗場操作盤４が開始する特殊運転処理の一部を示すフローチャートである。
【００３２】
まず、乗場操作盤４のＣＰＵ４０は、表示部４４に図１１に示す暗証番号入力画面１０３を表示させる（Ｓ２００）。この暗証番号入力画面１０３には、たとえば暗証番号の入力を促すメッセージと暗証番号の入力欄が表示される。暗証番号は，テンキー５０aの操作により入力される。そして、暗証番号入力画面１０３の入力欄には、入力された文字数と同数の「＊」印が表示される。これによって、暗証番号が入力者以外の者に見られることを防止することができるとともに、入力者は何文字入力したかを把握することができる。なお、「＊」印の代わりに、別の文字または印を表示してもよい。
【００３３】
つぎに、ＣＰＵ４０は、４桁の暗証番号が入力されたか否かを判断する（Ｓ２０１）。暗証番号が入力されていない場合は、つぎに、ファンクション釦５１が押されてから所定時間経過したか否かを判断する（Ｓ２０２）。所定時間経過していない場合は、Ｓ２０１に戻る。所定時間経過した場合は、つぎに、ＣＰＵ４０は、表示部４４に図１２に示すエラー画面１０４を表示させる（Ｓ２０３）。このエラー画面１０４には、たとえば入力された暗証番号が無効である旨のメッセージが表示される。その後、ＣＰＵ４０は、表示部４４に図８の通常運転階入力画面１００を表示させ、図３の通常運転処理を開始する。
【００３４】
Ｓ２０１で４桁の暗証番号が入力された場合は、つぎに、ＣＰＵ４０は、入力された暗証番号と予めメモリ４１に記憶された複数の暗証番号とを照合し（Ｓ２０４）、入力された暗証番号と一致する暗証番号があるか否かを判断する（Ｓ２０５）。一致する暗証番号が無い場合、Ｓ２０３に進んで表示部４４に図１２のエラー画面１０４を表示させる。一方、一致する暗証番号がある場合、つぎに、ＣＰＵ４０は、メモリ４１に記憶された表１の対応情報を参照して、この暗証番号に関連付けられた特殊運転情報を特定する（Ｓ２０６）。
【００３５】
つぎに、図４のＳ２０６において、乗場操作盤４のＣＰＵ４０が特殊運転情報として「ＶＩＰ運転」を特定した場合、その後に乗場操作盤４と群管理制御装置１は、図５に示すＶＩＰ運転処理を開始する。図５は、実施の形態１にかかる乗場操作盤４と群管理制御装置１が行うＶＩＰ運転処理を示すフローチャートである。まず、乗場操作盤４のＣＰＵ４０は、表示部４４に図１３に示すＶＩＰ運転階入力画面１０５を表示させる（Ｓ３００）。このＶＩＰ運転階入力画面１０５には、たとえば「ＶＩＰ運転」の処理を開始した旨と、行先階情報の入力を促すメッセージとが表示される。この行先階情報は、暗証番号の入力者が希望する行先階を特定する数字または英字などであり、テンキー５０aの操作により入力される。つぎに、ＣＰＵ４０は、行先階情報が入力されたか否かを判断する（Ｓ３０１）。行先階情報が入力されていない場合は、つぎに、図４のＳ２０１にて暗証番号が入力されてから所定時間経過したか否かを判断する（Ｓ３０２）。所定時間経過していない場合は、Ｓ３０１に戻る。一方、所定時間経過した場合は、つぎに、表示部４４に図８の通常運転階入力画面１００を表示させ、図３の通常運転処理を開始する。
【００３６】
Ｓ３０１で行先階情報が入力された場合は、つぎに、ＣＰＵ４０は、表示部４４に図１４に示すＶＩＰ運転階表示画面１０６を表示させる（Ｓ３０３）。このＶＩＰ運転階表示画面１０６には、Ｓ３０１で入力された行先階情報が表示される。また、ＣＰＵ４０は、群管理制御装置１に対し、メモリ４１に予め記憶された入力階情報、図４のＳ２０１で入力された暗証番号、およびＳ３０１で入力された行先階情報を送信する（Ｓ３０４）。この入力階情報は、前述のとおり、乗場操作盤４の設けられた階、すなわち暗証番号の入力者のいる入力階を特定する情報である。つぎに、群管理制御装置１のＣＰＵ１０は、乗場操作盤４からこの入力階情報、暗証番号、および行先階情報を受信すると、受信した暗証番号と予めメモリ１１に記憶された複数の暗証番号とを照合し（Ｓ３０５）、この暗証番号と一致する暗証番号を特定する。つぎに、ＣＰＵ１０は、メモリ１１に記憶された表１の対応情報を参照して、この暗証番号に関連付けられた特殊運転情報として「ＶＩＰ運転」を特定する（Ｓ３０６）。
【００３７】
つぎに、ＣＰＵ１０は、ＶＩＰ運転をさせるエレベータ号機３を選択する（Ｓ３０７）。このときＣＰＵ１０は、たとえば、各エレベータ号機３a〜３jの運転状況を参照し、呼び登録の最も少ないエレベータ号機３を一台選択する。つぎに、ＣＰＵ１０は、選択したエレベータ号機３のエレベータ号機情報を乗場操作盤４へ送信する（Ｓ３０８）。つぎに、乗場操作盤４のＣＰＵ４０は、このエレベータ号機情報を群管理制御装置１から受信すると、表示部４４に図１５に示すＶＩＰ運転号機表示画面１０７を表示させる（Ｓ３０９）。このＶＩＰ運転号機表示画面１０７には、このエレベータ号機情報が表示される。これによって、暗証番号の入力者は、どのエレベータ号機がＶＩＰ運転により行先階まで運転するのかを把握することができる。一方、群管理制御装置１のＣＰＵ１０は、Ｓ３０７で選択したエレベータ号機３の号機制御装置３０に対し、ＶＩＰ運転指令を送信する（Ｓ３１０）。そして、このＶＩＰ運転指令を受信したエレベータ号機３の号機制御装置３０は、一旦かご３３を入力階まで運転させ、乗客が乗車した後、優先的に行先階までかご３３を運転させる。
【００３８】
一方、図４のＳ２０６において、乗場操作盤４のＣＰＵ４０が特殊運転情報として「呼び戻し運転  ２号機」を特定した場合、その後に乗場操作盤４と群管理制御装置１は、図６に示す呼び戻し運転処理を開始する。図６は、実施の形態１にかかる乗場操作盤４と群管理制御装置１が行う呼び戻し運転処理を示すフローチャートである。まず、乗場操作盤４のＣＰＵ４０は、表示部４４に図１６に示す呼び戻し運転号機表示画面１０８を表示させる（Ｓ４００）。この呼び戻し運転号機表示画面１０８には、たとえば「呼び戻し運転」の処理を開始した旨と、呼び戻し運転を行うエレベータ号機のエレベータ号機情報とが表示される。このエレベータ号機情報は、特殊運転情報から特定されたものである。これによって、暗証番号の入力者は、どのエレベータ号機が呼び戻し運転を行うかを把握することができる。また、ＣＰＵ４０は、群管理制御装置１に対し、図４のＳ２０１で入力された暗証番号を送信する（Ｓ４０１）。つぎに、群管理制御装置１のＣＰＵ１０は、乗場操作盤４からこの暗証番号を受信すると、受信した暗証番号と予めメモリ１１に記憶された複数の暗証番号とを照合し（Ｓ４０２）、この暗証番号と一致する暗証番号を特定する。つぎに、ＣＰＵ１０は、メモリ１１に記憶された表１の対応情報を参照して、この暗証番号に関連付けられた特殊運転情報として「呼び戻し運転  ２号機」を特定する（Ｓ４０３）
【００３９】
つぎに、ＣＰＵ１０は、Ｓ４０３で特殊運転情報から特定したエレベータ号機３の号機制御装置３０に対し、呼び戻し運転指令を送信する（Ｓ４０４）。そして、この呼び戻し運転指令を受信したエレベータ号機３の号機制御装置３０は、予め規定された階までかご３３を運転させる。
【００４０】
一方、図４のＳ２０６において、乗場操作盤４のＣＰＵ４０が特殊運転情報として「サービス階カット運転」を特定した場合、その後に乗場操作盤４と群管理制御装置１は、図７に示すサービス階カット運転処理を開始する。図７は、実施の形態１にかかる乗場操作盤４と群管理制御装置１が行うサービス階カット運転処理を示すフローチャートである。まず、乗場操作盤４のＣＰＵ４０は、表示部４４に図１７に示すサービス階カット運転階入力画面１０９を表示させる（Ｓ５００）。このサービス階カット運転階入力画面１０９には、たとえば「サービス階カット運転」の処理を開始した旨と、切放し階情報の入力を促すメッセージとが表示される。この切放し階情報は、暗証番号の入力者がサービスの対象から切放すことを希望する階（「切放し階」）を特定する数字または英字などであり、テンキー５０aの操作により入力される。つぎに、ＣＰＵ４０は、切放し階情報が入力されたか否かを判断する（Ｓ５０１）。切放し階情報が入力されていない場合は、つぎに、図４のＳ２０１にて暗証番号が入力されてから所定時間経過したか否かを判断する（Ｓ５０２）。所定時間経過していない場合は、Ｓ５０１に戻る。一方、所定時間経過した場合は、つぎに、表示部４４に図８の通常運転階入力画面１００を表示させ、図３の通常運転処理を開始する。
【００４１】
Ｓ５０１で切放し階情報が入力された場合は、つぎに、ＣＰＵ４０は、表示部４４に図１８に示すサービス階カット運転階表示画面１１０を表示させる（Ｓ５０３）。このサービス階カット運転階表示画面１１０には、切放し階情報が表示される。また、ＣＰＵ４０は、群管理制御装置１に対し、図４のＳ２０１で入力された暗証番号およびＳ５０１で入力された切放し階情報を送信する（Ｓ５０４）。つぎに、群管理制御装置１のＣＰＵ１０は、乗場操作盤４からこの暗証番号および切放し階情報を受信すると、受信した暗証番号と予めメモリ１１に記憶された複数の暗証番号とを照合し（Ｓ５０５）、この暗証番号と一致する暗証番号を特定する。つぎに、ＣＰＵ１０は、メモリ１１に記憶された表１の対応情報を参照して、この暗証番号に関連付けられた特殊運転情報として「サービス階カット運転」を特定する（Ｓ５０６）。
【００４２】
つぎに、ＣＰＵ１０は、予め規定されたエレベータ号機３の号機制御装置３０に対し、サービス階カット運転指令を送信する（Ｓ５０７）。そして、このサービス階カット運転指令を受信したエレベータ号機３の号機制御装置３０は、切放し階をサービスの対象から切り放す。
【００４３】
なお、乗場操作盤４および群管理制御装置１は、図４〜図７の特殊運転処理を終了した後は、図３の通常運転処理を開始する。
【００４４】
なお、ファンクション釦５１は、第１の入力切換手段に相当する。
【００４５】
なお、本実施の形態では、表１の対応情報において、呼び戻し運転については、特殊運転情報が特殊運転の名称並びにエレベータ号機の名称とからなるが、特殊運転の名称のみからなってもよい。この場合、暗証番号の入力者にエレベータ号機情報を入力させることにより、呼び戻し運転をさせるエレベータ号機を特定する。
【００４６】
本実施の形態によって、従来の押し釦やキースイッチなどのハードウェア接点を用いた押し釦式乗場操作盤に一つ釦を追加するだけで、安価で、かつ種々の特殊運転指令をすることができる乗場操作盤を備えたエレベータシステムを得ることができる。
【００４７】
実施の形態２．
図１９〜図２４を参照して、本発明の実施の形態２を説明する。
【００４８】
まず、実施の形態２にかかるエレベータシステムの構成は、実施の形態１で図１と図２を参照して説明したものと同様である。
【００４９】
つぎに、実施の形態２にかかるエレベータシステムの動作を説明する。なお、実施の形態２にかかる乗場操作盤４は、実施の形態１の通常運転処理と特殊運転処理に加え、暗証番号の変更処理を行うことができる。この暗証番号の変更処理は、ファンクション釦５１が押された後にテンキー５０aのマイナス釦（「−」釦）が押されると、開始される。
【００５０】
一方、群管理制御装置１は、乗場操作盤４から暗証番号を受信するまでは通常運転の処理を行い、暗証番号を受信すると特殊運転の処理を開始する。さらに、群管理制御装置１は、乗場操作盤４から変更前の暗証番号と新しい暗証番号を受信すると暗証番号の変更処理を開始する。なお、実施の形態２にかかる通常運転の処理は、実施の形態１で図３、図８〜図１０を参照して説明したものと同様である。
【００５１】
まず、図１９、図２３、および図２４を参照して、乗場操作盤４および群管理制御装置１が行う暗証番号の変更処理を説明する。乗場操作盤４は、表示部４４に図８の通常運転階入力画面１００を表示させている間にファンクション釦５１が押され、つぎにマイナス釦が押されると、暗証番号変更処理を開始する。図１９は、実施の形態２にかかる乗場操作盤４および群管理制御装置１が行う暗証番号変更処理を示すフローチャートである。まず、乗場操作盤４のＣＰＵ４０は、表示部４４に図２３に示す変更前暗証番号入力画面１１１を表示させる（Ｓ７００）。この変更前暗証番号入力画面１１１には、たとえば変更前の暗証番号の入力を促すメッセージと暗証番号の入力欄が表示される。そして、変更前暗証番号入力画面１１１の入力欄には、入力された文字数と同数の「＊」印が表示される。これによって、暗証番号が入力者以外の者に見られることを防止することができるとともに、入力者は何文字入力したかを把握することができる。なお、「＊」印の代わりに、別の文字または印を表示してもよい。
【００５２】
つぎに、ＣＰＵ４０は、４桁の暗証番号が入力されたか否かを判断する（Ｓ７０１）。暗証番号が入力されていない場合は、つぎに、ファンクション釦５１が押された後にマイナス釦が押されてから所定時間経過したか否かを判断する（Ｓ７０２）。所定時間経過していない場合は、Ｓ７０１に戻る。一方、所定時間経過した場合は、つぎに、ＣＰＵ４０は、表示部４４に図８に示す通常運転階入力画面１００を表示させ、図３の通常運転の処理を開始する。
【００５３】
Ｓ７０１で暗証番号が入力された場合は、つぎに、ＣＰＵ４０は、入力された暗証番号と予めメモリ４１に記憶された複数の暗証番号とを照合し（Ｓ７０３）、入力された暗証番号と一致する暗証番号があるか否かを判断する（Ｓ７０４）。入力された暗証番号と一致する暗証番号が無い場合、表示部４４に図８に示す通常運転階入力画面１００を表示させ、図３の通常運転の処理を開始する。一方、一致する暗証番号がある場合、つぎに、ＣＰＵ４０は、表示部４４に図２４に示す新暗証番号入力画面１１２を表示させる（Ｓ７０５）。この新暗証番号入力画面１１２には、たとえば新しい暗証番号の入力を促すメッセージと暗証番号の入力欄が表示される。
【００５４】
つぎに、ＣＰＵ４０は、４桁の暗証番号が入力されたか否かを判断する（Ｓ７０６）。暗証番号が入力されていない場合は、つぎに、Ｓ７０１にて変更前の暗証番号が入力されてから所定時間経過したか否かを判断する（Ｓ７０７）。所定時間経過していない場合は、Ｓ７０７に戻る。一方、所定時間経過した場合は、つぎに、ＣＰＵ４０は、表示部４４に図８に示す通常運転階入力画面１００を表示させ、図３の通常運転の処理を開始する。
【００５５】
一方、Ｓ７０６で暗証番号が入力された場合は、つぎに、ＣＰＵ４０は群管理制御装置１に対し、Ｓ７０１で入力された変更前暗証番号とＳ７０６で入力された新暗証番号を送信する（Ｓ７０８）。つぎに、群管理制御装置１のＣＰＵ１０は、乗場操作盤４からこの変更前暗証番号および新暗証番号を受信すると、受信した変更前暗証番号と予めメモリ１１に記憶された複数の暗証番号とを照合し（Ｓ７０９）、この変更前暗証番号と一致する暗証番号があるか否かを判断する（Ｓ７１０）。一致する暗証番号が無い場合、つぎに、乗場操作盤４に対し、通常運転階入力画面表示指令を送信する（Ｓ７１１）。そして、乗場操作盤４がこの通常運転階入力画面表示指令を群管理制御装置１から受信すると、つぎに、乗場操作盤４のＣＰＵ４０は、表示部４４に図８の通常運転階入力画面１００を表示させ、図３の通常運転処理を開始する。一方、Ｓ７１１において、一致する暗証番号がある場合、つぎに、群管理制御装置１のＣＰＵ１０は、メモリ１１に記憶された表１の対応情報における変更前暗証番号を新暗証番号へ変更する（Ｓ７１２）。
【００５６】
つぎに、ＣＰＵ１０は、この変更後の対応情報を、全ての乗場操作盤４a〜４cへ送信する（Ｓ７１３）。そして、各乗場操作盤４a〜４cは、この変更後の対応情報を群管理制御装置１から受信すると、メモリ４１に記憶された変更前の対応情報を変更後の対応情報へ変更する（Ｓ７１４）。なお、ＣＰＵ１０は、Ｓ７１３の動作を、Ｓ７１２にて暗証番号を変更する都度に行ってもよいし、Ｓ７１２の動作の有無に関係なく定期的に行ってもよい。
【００５７】
つぎに、図２０〜図２２を参照して、実施の形態２にかかる特殊運転の処理を説明する。なお、乗場操作盤４が特殊運転処理を開始してから特殊運転情報を特定するまでに行う処理は、実施の形態１で図４を参照して説明したものと同様である。
【００５８】
つぎに、図４のＳ２０６において、乗場操作盤４のＣＰＵ４０が特殊運転情報として「ＶＩＰ運転」を特定した場合、その後に乗場操作盤４と群管理制御装置１は、図２０に示すＶＩＰ運転処理を開始する。図２０は、実施の形態２にかかる乗場操作盤４と群管理制御装置１が行うＶＩＰ運転処理を示すフローチャートである。まず、乗場操作盤４のＣＰＵ４０は、表示部４４に図１３に示すＶＩＰ運転階入力画面１０５を表示させる（Ｓ８００）。つぎに、ＣＰＵ４０は、行先階情報が入力されたか否かを判断する（Ｓ８０１）。行先階情報が入力されていない場合は、つぎに、図４のＳ２０１にて暗証番号が入力されてから所定時間経過したか否かを判断する（Ｓ８０２）。所定時間経過していない場合は、Ｓ８０１に戻る。一方、所定時間経過した場合は、つぎに、表示部４４に図８の通常運転階入力画面１００を表示させ、図３の通常運転処理を開始する。
【００５９】
Ｓ８０１で行先階情報が入力された場合は、つぎに、ＣＰＵ４０は、表示部４４に図１４に示すＶＩＰ運転階表示画面１０６を表示させる（Ｓ８０３）。また、ＣＰＵ４０は、群管理制御装置１に対し、メモリ４１に予め記憶された入力階情報、図４のＳ２０１で入力された暗証番号、およびＳ８０１で入力された行先階情報を送信する（Ｓ８０４）。つぎに、群管理制御装置１のＣＰＵ１０は、乗場操作盤４からこの入力階情報、暗証番号、および行先階情報を受信すると、受信した暗証番号と予めメモリ１１に記憶された複数の暗証番号とを照合し（Ｓ８０５）、この暗証番号と一致する暗証番号があるか否かを判断する（Ｓ８０６）。ここで、図１９のＳ７１３で群管理制御装置１のメモリ１１に記憶された対応情報が変更されてから、Ｓ７１４で乗場操作盤４のメモリ４１に記憶された対応情報が変更されるまで、タイムラグがあるため、メモリ１１に記憶された対応情報とメモリ４１に記憶された対応情報が異なる場合がある。したがって、乗場操作盤４で暗証番号の照合を行うだけでなく、群管理制御装置１でも暗証番号の照合を行っている。
【００６０】
Ｓ８０６において、一致する暗証番号が無い場合、つぎに、ＣＰＵ１０は、乗場操作盤４に対し、エラー画面表示指令を送信する（Ｓ８０７）。そして、乗場操作盤４がこのエラー画面表示指令を群管理制御装置１から受信すると、つぎに、乗場操作盤４のＣＰＵ４０は、表示部４４に図１２のエラー画面１０４を表示させる（Ｓ８０８）。一方、Ｓ８０７において、一致する暗証番号がある場合、つぎに、ＣＰＵ１０は、メモリ１１に記憶された表１の対応情報を参照して、この暗証番号に関連付けられた特殊運転情報として「ＶＩＰ運転」を特定する（Ｓ８０９）。
【００６１】
つぎに、ＣＰＵ１０は、ＶＩＰ運転をさせるエレベータ号機３を選択する（Ｓ８１０）。このとき、ＣＰＵ１０は、たとえば各エレベータ号機３a〜３jの運転状況を参照してＶＩＰ運転をさせるに適切なエレベータ号機３を一台選択する。つぎに、ＣＰＵ１０は、選択したエレベータ号機３のエレベータ号機情報を乗場操作盤４へ送信する（Ｓ８１１）。つぎに、乗場操作盤４のＣＰＵ４０は、このエレベータ号機情報を群管理制御装置１から受信すると、表示部４４に図１５に示すＶＩＰ運転号機表示画面１０７を表示させる（Ｓ８１２）。一方、群管理制御装置１のＣＰＵ１０は、Ｓ８１０で選択したエレベータ号機３の号機制御装置３０に対し、ＶＩＰ運転指令を送信する（Ｓ８１３）。そして、このＶＩＰ運転指令を受信したエレベータ号機３の号機制御装置３０は、一旦かご３３を入力階まで運転させ、乗客が乗車した後、優先的に行先階までかご３３を運転させる。
【００６２】
一方、図４のＳ２０６において、乗場操作盤４のＣＰＵ４０が特殊運転情報として「呼び戻し運転  ２号機」を特定した場合、その後に乗場操作盤４と群管理制御装置１は、図２１に示す呼び戻し運転処理を開始する。図２１は、実施の形態２にかかる乗場操作盤４と群管理制御装置１が行う呼び戻し運転処理を示すフローチャートである。まず、乗場操作盤４のＣＰＵ４０は、表示部４４に図１６に示す呼び戻し運転号機表示画面１０８を表示させる（Ｓ９００）。また、ＣＰＵ４０は、群管理制御装置１に対し、図４のＳ２０１で入力された暗証番号を送信する（Ｓ９０１）。つぎに、群管理制御装置１のＣＰＵ１０は、乗場操作盤４からこの暗証番号を受信すると、受信した暗証番号と予めメモリ１１に記憶された複数の暗証番号とを照合し（Ｓ９０２）、受信した暗証番号と一致する暗証番号があるか否かを判断する（Ｓ９０３）。ここで、図１９のＳ７１３で群管理制御装置１のメモリ１１に記憶された対応情報が変更されてから、Ｓ７１４で乗場操作盤４のメモリ４１に記憶された対応情報が変更されるまで、タイムラグがあるため、メモリ１１に記憶された対応情報とメモリ４１に記憶された対応情報が異なる場合がある。したがって、乗場操作盤４で暗証番号の照合を行うだけでなく、群管理制御装置１でも暗証番号の照合を行っている。
【００６３】
Ｓ９０３において、一致する暗証番号が無い場合、つぎに、ＣＰＵ１０は、乗場操作盤４に対し、エラー画面表示指令を送信する（Ｓ９０４）。そして、乗場操作盤４がこのエラー画面表示指令を群管理制御装置１から受信すると、つぎに、乗場操作盤４のＣＰＵ４０は、表示部４４に図１２のエラー画面１０４を表示させる（Ｓ９０５）。一方、Ｓ９０３において、一致する暗証番号がある場合、つぎに、ＣＰＵ１０は、メモリ１１に記憶された表１の対応情報を参照して、この暗証番号に関連付けられた特殊運転情報として「呼び戻し運転  ２号機」を特定する（Ｓ９０６）。
【００６４】
つぎに、ＣＰＵ１０は、この特殊運転情報から特定したエレベータ号機の号機制御装置３０に対し、呼び戻し運転指令を送信する（Ｓ９０７）。そして、この呼び戻し運転指令を受信したエレベータ号機３の号機制御装置３０は、予め規定された階までかご３３を運転させる。
【００６５】
一方、図４のＳ２０６において、乗場操作盤４のＣＰＵ４０が特殊運転情報として「サービス階カット運転」を特定した場合、その後に乗場操作盤４と群管理制御装置１は、図２２に示すサービス階カット運転を開始する。図２２は、実施の形態２にかかる乗場操作盤４と群管理制御装置１が行うサービス階カット運転処理を示すフローチャートである。まず、乗場操作盤４のＣＰＵ４０は、表示部４４に図１７に示すサービス階カット運転階入力画面１０９を表示させる（Ｓ１０００）。つぎに、ＣＰＵ４０は、切放し階情報が入力されたか否かを判断する（Ｓ１００１）。切放し階情報が入力されていない場合は、つぎに、Ｓ２０１にて暗証番号が入力されてから所定時間経過したか否かを判断する（Ｓ１００２）。所定時間経過していない場合は、Ｓ１００１に戻る。一方、所定時間経過した場合は、つぎに、表示部４４に図８の通常運転階入力画面１００を表示させ、図３の通常運転の処理を開始する。
【００６６】
Ｓ１００１で切放し階情報が入力された場合は、つぎに、ＣＰＵ４０は、表示部４４に図１８に示すサービス階カット運転階表示画面１１０を表示させる（Ｓ１００３）。また、ＣＰＵ４０は、群管理制御装置１にこの暗証番号および切放し階情報を送信する（Ｓ１００４）。つぎに、群管理制御装置１のＣＰＵ１０は、乗場操作盤４からこの暗証番号および切放し階情報を受信すると、受信した暗証番号と予めメモリ１１に記憶された複数の暗証番号とを照合し（Ｓ１００５）、この暗証番号と一致する暗証番号があるか否かを判断する（Ｓ１００６）。ここで、図１９のＳ７１３で群管理制御装置１のメモリ１１に記憶された対応情報が変更されてから、Ｓ７１４で乗場操作盤４のメモリ４１に記憶された対応情報が変更されるまで、タイムラグがあるため、メモリ１１に記憶された対応情報とメモリ４１に記憶された対応情報が異なる場合がある。したがって、乗場操作盤４で暗証番号の照合を行うだけでなく、群管理制御装置１でも暗証番号の照合を行っている。
【００６７】
Ｓ１００６において、受信した暗証番号と一致する暗証番号が無い場合、つぎに、ＣＰＵ１０は、乗場操作盤４に対し、エラー画面表示指令を送信する（Ｓ１００７）。そして、乗場操作盤４がこのエラー画面表示指令を群管理制御装置１から受信すると、つぎに、乗場操作盤４のＣＰＵ４０は、表示部４４に図１２のエラー画面１０４を表示させる（Ｓ１００９）。一方、Ｓ１００６において、受信した暗証番号と一致する暗証番号がある場合、つぎに、群管理制御装置１のＣＰＵ１０は、メモリ１１に記憶された表１の対応情報を参照して、この暗証番号に関連付けられた特殊運転情報として「サービス階カット運転」を特定する（Ｓ１００９）。
【００６８】
つぎに、ＣＰＵ１０は、予め規定されたエレベータ号機３の号機制御装置３０に対し、サービス階カット運転指令を送信する（Ｓ１１１０）。そして、このサービス階カット運転指令を受信したエレベータ号機３の号機制御装置３０は、切放し階をサービスの対象から切り放す。
【００６９】
なお、乗場操作盤４および群管理制御装置１は、図１９の暗証番号変更処理を終了した後や、図４ならびに図２０〜２２の特殊運転処理を終了した後は、図３の通常運転処理を開始する。
【００７０】
なお、本実施の形態では、表１の対応情報において、呼び戻し運転については、特殊運転情報が特殊運転の名称並びにエレベータ号機の名称とからなるが、特殊運転の名称のみからなってもよい。この場合、暗証番号の入力者にエレベータ号機情報を入力させることにより、呼び戻し運転をさせるエレベータ号機を特定する。
【００７１】
また、本実施の形態では、乗場操作盤４のファンクション釦５１が押された後にテンキー５０aのマイナス釦が押されると、暗証番号変更処理を開始するが、ファンクション釦５１を用いた他の特殊な操作により暗証番号変更処理を開始してもよい。このような特殊な操作として、たとえばファンクション釦５１を連続２回押す操作がある。
【００７２】
なお、ファンクション釦５１は、第１の入力切換手段に相当し、ファンクション釦５１を用いた上記の特殊な操作は、第２の入力切換手段に相当する。
【００７３】
なお、群管理制御装置１のメモリ１１に記憶された表１の対応情報は、乗場操作盤４の操作によらず、直接変更することもできる。この場合、暗証番号の変更だけでなく、暗証番号および特殊運転情報の追加も可能である。群管理制御装置１は外部装置と接続可能であり、この外部装置から群管理制御装置１へ新しい対応情報を送信することにより、メモリ１１に記憶された対応情報を変更することができる。そして、メモリ１１に記憶された表１の対応情報が変更された後は、その都度または定期的に、ＣＰＵ１０がこの新しい対応情報を、全ての乗場操作盤４a〜４cへ送信する。そして、各乗場操作盤４a〜４cは、この新しい対応情報を群管理制御装置１から受信すると、メモリ４１に記憶された変更前の対応情報を新しい対応情報へ変更する。
【００７４】
本実施の形態によれば、従来の押し釦やキースイッチなどのハードウェア接点を用いた押し釦式乗場操作盤に一つ釦（ファンクション釦）を追加するだけで、安価で、かつ種々の特殊運転指令をすることができる乗場操作盤を備えたエレベータシステムを得ることができる。また、ファンクション釦を用いた特殊な操作により、暗証番号を変更することができるため、利便性の良いエレベータシステムを得ることができる。
【図１】
2011024223.tif 000004
【図２】
2011024223.tif 000005
【図３】
2011024223.tif 000006
【図４】
2011024223.tif 000007
【図５】
2011024223.tif 000008
【図６】
2011024223.tif 000009
【図７】
2011024223.tif 000010
【図８】
2011024223.tif 000011
【図９】
2011024223.tif 000012
【図１０】
2011024223.tif 000013
【図１１】
2011024223.tif 000014
【図１２】
2011024223.tif 000015
【図１３】
2011024223.tif 000016
【図１４】
2011024223.tif 000017
【図１５】
2011024223.tif 000018
【図１６】
2011024223.tif 000019
【図１７】
2011024223.tif 000020
【図１８】
2011024223.tif 000021
【図１９】
2011024223.tif 000022
【図２０】
2011024223.tif 000023
【図２１】
2011024223.tif 000024
【図２２】
2011024223.tif 000025
【図２３】
2011024223.tif 000026
【図２４】
2011024223.tif 000027
【手続補正書】
【提出日】平成24年1月26日(2012.1.26)
【手続補正１】
【補正対象書類名】特許請求の範囲
【補正対象項目名】全文
【補正方法】変更
【補正の内容】
【特許請求の範囲】
【請求項１】
エレベータ号機と、
エレベータ乗場に設けられ、行先階入力手段を有する乗場操作盤と、
前記乗場操作盤にて入力された情報に基づいて前記エレベータ号機を制御する制御装置と、
を備えたエレベータシステムにおいて、
前記乗場操作盤に設けられた暗証番号入力手段と、
前記乗場操作盤に設けられ、前記行先階入力手段を無効にして前記暗証番号入力手段を有効に切り換える第１の入力切換手段と、
複数の暗証番号と前記各暗証番号に関連付けられた複数の特殊運転情報とからなる対応情報を記憶する記憶手段と、
前記行先階入力手段により入力された行先階情報に基づいて、前記エレベータ号機に対し通常運転を指令する通常運転指令手段と、
前記暗証番号入力手段により入力された暗証番号と前記記憶手段に記憶された対応情報とに基づいて、前記入力された暗証番号に関連付けられた特殊運転情報を特定する特殊運転情報特定手段と、
前記特殊運転情報特定手段により特定された特殊運転情報に基づいて、前記エレベータ号機に対し特殊運転を指令する特殊運転指令手段と、
を備えたことを特徴とするエレベータシステム。
【請求項２】
前記乗場操作盤に設けられ、前記特殊運転情報特定手段により特定された特殊運転情報に基づいて、号機情報または階情報を入力するための特殊運転対象入力手段とを備え、
前記特殊運転指令手段は、前記特殊運転情報特定手段により特定された特殊運転情報と前記特殊運転対象入力手段により入力された号機情報または階情報とに基づいて、前記エレベータ号機に対し特殊運転を指令する
ことを特徴とする請求項１記載のエレベータシステム。
【請求項３】
前記記憶手段および前記特殊運転情報特定手段は、前記乗場操作盤および前記制御装置にそれぞれ設けられた
ことを特徴とする請求項１記載のエレベータシステム。
【請求項４】
前記乗場操作盤に設けられ、変更前の暗証番号および新しい暗証番号を入力するための暗証番号変更入力手段と、
前記暗証番号変更入力手段により入力された変更前の暗証番号および新しい暗証番号に基づいて、前記記憶手段に記憶された対応情報にかかる暗証番号を変更する暗証番号変更手段と、
前記乗場操作盤に設けられ、前記行先階入力手段および前記暗証番号入力手段を無効にして前記暗証番号変更入力手段を有効に切り換える第２の入力切換手段と、
を備えたことを特徴とする請求項１〜３のいずれかに記載のエレベータシステム。
【請求項５】
エレベータ乗場に設けられた乗場操作盤にて入力される情報に基づいてエレベータ号機を制御するエレベータシステムの制御方法において、
複数の暗証番号と前記各暗証番号に関連付けられた複数の特殊運転情報とからなる対応情報を記憶する記憶ステップと、
前記乗場操作盤にて第１の入力切換信号が入力されたか否かを判断する第１切換判断ステップと、
前記第１切換判断ステップにて前記第１の入力切換信号が入力されていないと判断した場合、前記乗場操作盤にて行先階情報が入力されたか否かを判断する行先階判断ステップと、
前記行先階判断ステップにて行先階情報が入力されたと判断した場合、入力された行先階情報に基づいて、前記エレベータ号機に対し通常運転を指令する通常運転指令ステップと、
前記第１切換判断ステップにて前記入力切換信号が入力されたと判断した場合、前記乗場操作盤にて暗証番号が入力されたか否かを判断する暗証番号判断ステップと、
前記暗証番号判断ステップにて暗証番号が入力されたと判断した場合、入力された暗証番号と前記記憶ステップにて記憶した対応情報とに基づいて、前記入力された暗証番号に関連付けられた特殊運転情報を特定する特殊運転情報特定ステップと、
前記特殊運転情報特定ステップにて特定された特殊運転情報に基づいて、前記エレベータ号機に対し特殊運転を指令する特殊運転指令ステップと、
を備えたことを特徴とするエレベータシステムの制御方法。
【請求項６】
前記特殊運転情報特定ステップにより特定された特殊運転情報に基づいて、号機情報または階情報が入力されたか否かを判断する特殊運転対象判断ステップとを備え、
前記特殊運転指令ステップは、前記特殊運転対象判断ステップにて号機情報または階情報が入力されたと判断した場合、前記特殊運転対象判断ステップにて入力された号機情報または階情報と前記特殊運転情報特定ステップにより特定された特殊運転情報とに基づいて、前記エレベータ号機に対し特殊運転を指令する
ことを特徴とする請求項５記載のエレベータシステムの制御方法。
【請求項７】
前記乗場操作盤にて第２の入力切換信号が入力されたか否かを判断する第２切換判断ステップと、
第２切換判断ステップにて前記第２の入力切換信号が入力されたと判断した場合、前記乗場操作盤にて変更前の暗証番号および新しい暗証番号が入力されたか否かを判断する暗証番号変更判断ステップと、
前記暗証番号変更判断ステップにより入力された変更前の暗証番号および新しい暗証番号に基づいて、前記記憶ステップにて記憶された対応情報にかかる暗証番号を変更する暗証番号変更ステップとを備えた
ことを特徴とする請求項５記載のエレベータシステムの制御方法。
【国際調査報告】
2011024223.tif 000028
2011024223.tif 000029
2011024223.tif 000030